(57)【特許請求の範囲】
【請求項１】
ホルダー本体に、同ホルダー本体をコンテナ等の運搬用容器に取り付けるための取付部と、カード、シール等の表示部材を支持する支持部と複数の側壁とを備え、運搬用容器に着脱可能に構成された表示部材ホルダーにおいて、
前記ホルダー本体には支持部に支持された表示部材の取り外しを容易にする所定幅の案内部を設け、
前記案内部は、上方の側壁から下方の側壁へ延びるとともに下方の側壁と交差する角度が９０度である仮想線に対して傾斜するように延設されている表示部材ホルダー。
【請求項２】
四角形状をなすホルダー本体に、同ホルダー本体をコンテナ等の運搬用容器に取り付けるための取付部と、カード、シール等の表示部材を支持する支持部とを備え、運搬用容器に着脱可能に構成された表示部材ホルダーにおいて、
前記ホルダー本体には支持部に支持された表示部材の取り外しを容易にする所定幅の案内部を設け、
前記支持部が形成された辺と同辺に直交する辺との間に形成される角を基点としたとき、前記案内部を基点の対角方向へ延びるように形成した表示部材ホルダー。
【請求項３】
前記案内部は凹部、孔及びスリットのいずれかで構成されている請求項１又は請求項２に記載の表示部材ホルダー。
【発明の詳細な説明】
【０００１】
【発明の属する技術分野】
この発明は、運搬用容器の流通先や収容物名を表示する表示部材を運搬用容器に取り付ける際に使用される表示部材ホルダーに関するものである。
【０００２】
【従来の技術】
従来より、工場の生産ライン、配送等に使用される運搬用容器には、その流通先や運搬用容器内の収容物の確認を容易にするための表示部材が取り付けられる。このような表示部材としては、一般に、運搬用容器の流通先や収容物名を表示したカード、シール等が使用され、それらは運搬用容器に取り付けられた表示部材ホルダーに取り付けられる。
【０００３】
この表示部材ホルダーは、支持平面を有し、同面に表示部材を支持する四角形状のホルダー本体と、ホルダー本体を運搬用容器に取り付けるための取付部と、表示部材を挟持する挟持部とを備えている。そして、使用の際は、取付部によりホルダー本体を運搬用容器に取り付け、挟持部に表示部材を挟持するか又は支持平面上に貼着することによって、ホルダー本体に表示部材を支持させる。
【０００４】
【発明が解決しようとする課題】
ところが、挟持部によりホルダー本体とほぼ同じ大きさのカードを挟持して、ホルダー本体上にカードを支持させた場合、支持平面にはそのカードを取り外すために指を引っかける部分がなく、表示部材ホルダーからカードを取り外すのが困難であるという問題があった。
【０００５】
また、シールをホルダー本体に貼着した場合、そのシールが不要となったときは、シールを剥離しなければならない。しかし、支持平面には、シールの貼着面全体が貼り付いているため、シールを剥離するとき、シールが破れたり、シールの一部がホルダー本体に貼着したままになったりして、シールをきれいに剥離するのが非常に困難であるという問題があった。
【０００６】
この発明は、このような従来技術に存在する問題に着目してなされたものである。その目的とするところは、表示部材ホルダーに支持又は貼着された表示部材を容易に取り外し又は剥離することができることにある。
【０００７】
【課題を解決するための手段】
上記の目的を達成するために、請求項１に記載の発明は、ホルダー本体に、同ホルダー本体をコンテナ等の運搬用容器に取り付けるための取付部と、カード、シール等の表示部材を支持する支持部と複数の側壁とを備え、運搬用容器に着脱可能に構成された表示部材ホルダーにおいて、前記ホルダー本体には支持部に支持された表示部材の取り外しを容易にする所定幅の案内部を設け、前記案内部は、上方の側壁から下方の側壁へ延びるとともに下方の側壁と交差する角度が９０度である仮想線に対して傾斜するように延設されているものである。
【０００８】
請求項２に記載の発明は、四角形状をなすホルダー本体に、同ホルダー本体をコンテナ等の運搬用容器に取り付けるための取付部と、カード、シール等の表示部材を支持する支持部とを備え、運搬用容器に着脱可能に構成された表示部材ホルダーにおいて、前記ホルダー本体には支持部に支持された表示部材の取り外しを容易にする所定幅の案内部を設け、前記支持部が形成された辺と同辺に直交する辺との間に形成される角を基点としたとき、前記案内部を基点の対角方向へ延びるように形成したものである。
【０００９】
請求項３に記載の発明は、請求項１又は請求項２に記載の発明において、前記案内部は凹部、孔及びスリットのいずれかで構成されているものである。
【００１０】
【発明の実施の形態】
以下、この発明の実施形態について詳細に説明する。
図３に示すように、運搬用容器としてのコンテナ１１は合成樹脂にて、相対向する長壁１２と、相対向する短壁１３と、それらの下側を閉塞する底板１４とより四角箱状に形成されている。底板１４の四側周縁の内周面と長壁１２及び短壁１３の外面との間には隙間１５が形成されている。
【００１１】
長壁１２にはその強度及び剛性を向上させるために矩形状の凹部１６が上下に形成されている。凹部１６間には一対の肉薄部１７が所定間隔をおいて形成されている。一対の係合溝１８は下側の凹部１６の下縁部の中央に、凹部１６から下方へ延びるように形成され、一対の凸部１９は前記係合溝１８間に所定間隔をおいて形成されている。図示しない係合凹部は前記隙間１５内に形成されている。
【００１２】
図１に示すように、合成樹脂製の表示部材ホルダー３１は支持平面２３を有するホルダー本体２０に、一対の相対向する長側壁２１ａ、２１ｂと、それらに直交するように介装された短側壁２２とを備え、四角箱状に形成されている。取付部２４はホルダー本体２０の一方（図１では上方）の長側壁２１ａを外方へ折り曲げて形成されている。図１の波線及び図２に示すように、一対の突起２５は円柱状をなし支持平面２３方向へ突出するように取付部２４に形成され、その先端は尖っている。ねじ部２６は突起２５の外周面に形成されている。
【００１３】
一対の差込部２７は、ホルダー本体２０の他方（図１の下方）の長側壁２１ｂから外方へ延出形成され、連結部２８は一対の差込部２７の先端部を連結している。取付部としての一対の係合部２９は連結部２８の両側に突出形成されている。係合孔３０は、下方の長側壁２１ｂ、一対の差込部２７及び連結部２８により四角形状に形成されている。そして、差込部２７、連結部２８及び係合部２９はコンテナ１１の隙間１５に差し込み可能になっている。
【００１４】
一対の保持部３２は、前記下方の長側壁２１ｂと短側壁２２との間に形成されるコーナ部と、そこから前記上方の長側壁２１ａ方向へ所定間隔をおいた位置に形成され、保持部３２と支持平面２３との間に隙間を有するように形成されている。四角形状の切り欠き部３３は、一対の保持部３２に対向する支持平面２３を各保持部３２と相似形に切り欠いて形成されている。そして、保持部３２と支持平面２３との間に表示部材としてのカード３４を保持させ、それが倒れるのを防止するようになっている。
【００１５】
支持部としての挟持部３５は下方の長側壁２１ｂの中央から上方の長側壁２１ａ方向へ向かうに従い支持平面２３方向へ延びるように、ほぼくの字状に折り曲げ形成されている。支持片３６は上方の長側壁２１ａにおいて、前記挟持部３５より支持平面２３側に台形状に突出形成されている。そして、挟持部３５と支持片３６との間にカード３４を挟み込むようになっている。
【００１６】
そして、図５に示すカード３４の一側縁部を挟持部３５と支持片３６との間に挟持させるとともに、一側縁部を下方の長側壁２１ｂに当接させる。さらに、他側縁部を保持部３２と支持平面２３との間に保持させるとともに、他側縁部を短側壁２２に当接させる。その結果、挟持部３５と支持平面２３とにより支持部を構成して、カード３４を支持平面２３上に支持することができるとともに、カード３４が支持平面２３上から外れるのを防止することができるようになっている。
【００１７】
図１に示すように、切り欠き凹部３７は短側壁２２と対向する支持平面２３の端部をくの字状に切り欠いて形成されている。そして、支持平面２３上に支持され、切り欠き凹部３７より突出したカード３４を摘むことによりカード３４を容易に取り外すことができるようになっている。
【００１８】
図１、図２及び図５に示すように、案内部としての案内凹部３８は、下方の長側壁２１ｂと短側壁２２との間に形成される角の対角方向へ延びる直線上に、所定幅を有し、その両端部が円弧状をなすように凹設されている。そして、支持平面２３上に支持されたカード３４を取り外すとき、案内凹部３８に指を入れ、案内凹部３８に沿ってカード３４の裏面に指を案内させることができるようになっている。
【００１９】
図５に示すように、下方の長側壁２１ｂと短側壁２２との交点を基点とし、基点を中心として下方の長側壁２１ｂを短側壁２２方向へ回動させたとき、それらの間に形成される角度θを仮想する。このとき、案内凹部３８は角度θが０度より大きく又は４５度以下となるように、前記基点から対角方向へ延びるように形成されるのが好ましく、４５度に設定されるのが最も好ましい。この実施形態では、前記角度θを４５度に設定した。
【００２０】
次に、表示部材ホルダー３１の使用方法について説明する。
まず、差込部２７、連結部２８及び係合部２９をコンテナ１１に形成された隙間１５に差し込むとともに、係合部２９を図示しない係合凹部に係合する。さらに、一対の差込部２７を前記係合溝１８に係合するとともに、係合孔３０を一対の凸部１９にそれぞれ係合させる。次いで、支持平面２３を凹部１６に対応させ、取付部２４に形成された一対の突起２５をコンテナ１１に形成された肉薄部１７に対応させる。そして、突起２５の先端により肉薄部１７を破って突起２５を長壁１２に無理嵌めすることにより、図３に示すように、表示部材ホルダー３１をコンテナ１１に取り付けることができる。このとき、突起２５の外周面にはねじ部２６が形成されているため、突起２５が長壁１２から抜け出るのを防止することができる。
【００２１】
次に、表示部材としてのカード３４の一側縁部を挟持部３５と支持片３６との間に挟持させるとともに、一側縁部を下方の長側壁２１ｂに当接させる。さらに、他側縁部を保持部３２と支持平面２３との間に保持させるとともに、他側縁部を短側壁２２に当接させる。その結果、挟持部３５と支持平面２３とにより構成される支持部により、カード３４が支持平面２３上に支持される。従って、図４に示すように、カード３４が表示部材ホルダー３１を介してコンテナ１１に取り付けられる。
【００２２】
続いて、カード３４を表示部材ホルダー３１から取り外す場合について説明する。
まず、案内凹部３８に指を挿入し、さらに案内凹部３８に沿って指をカード３４の裏面にまで案内させる。このとき、図５に示すように、例えば、案内凹部３８を上方の長側壁２１ａから下方の長側壁２１ｂ方向へ延びるように、つまり、前記角度θが９０度の場合を仮想する。このとき、角度θが９０度の場合の案内凹部３８上に位置するカード３４の長さに対応する案内凹部３８の幅Ｌ1 は、角度θが４５度の場合の案内凹部３８上に位置するカード３４に対応する案内凹部３８の幅Ｌ2 より短くなっている。また、案内凹部３８の両端部は円弧状をなしている。
【００２３】
そのため、支持平面２３上に支持されたカード３４を支持平面２３上から取り外すため、案内凹部３８に指を容易に入れることができる。従って、カード３４を指により容易に摘むことができるとともに、カード３４の取り外しを容易に行うことができる。そして、カード３４の裏面の指と別の指とでカード３４を摘むとともに、カード３４を挟持部３５から抜き取る。その結果、カード３４を表示部材ホルダー３１から容易に取り外すことができる。
【００２４】
以上のように、この実施形態によれば、次のような効果が発揮される。
・  実施形態の表示部材ホルダー３１によれば、案内凹部３８の延びる方向は、下方の長側壁２１ｂと短側壁２２との交点を基点とし、基点を中心として下方の長側壁２１ｂを短側壁２２方向へ回動させたとき、それらの間に形成される角度θが４５度に設定されている。そのため、前記角度θが９０度の場合と比較したとき、角度θが９０度の場合の案内凹部３８上に位置するカード３４に対応する案内凹部３８の幅Ｌ1 は、角度θが４５度の場合の案内凹部３８上に位置するカード３４に対応する案内凹部３８の幅Ｌ2 より短くなっている。そのため、支持平面２３上に支持されたカード３４を支持平面２３上から取り外すため、案内凹部３８に指を容易に入れることができるとともに、案内凹部３８に沿ってカード３４の裏面に指を案内させることができる。従って、カード３４を指により容易に摘むことができるとともに、カード３４の取り外しを容易に行うことができる。
【００２５】
・  実施形態の表示部材ホルダー３１によれば、支持平面２３には案内凹部３８が所定幅を有し、その両端が円弧状に凹設されている。そのため、支持平面２３上に支持されたカード３４を取り外すとき、案内凹部３８に指を容易に入れることができるとともに、案内凹部３８に沿ってカード３４の裏面に指を案内させることができる。従って、カード３４を指により容易に摘むことができるとともに、カード３４の表示部材ホルダー３１からの取り外しを容易に行うことができる。
【００２６】
・  実施形態の表示部材ホルダー３１によれば、案内凹部３８は下方の長側壁２１ｂと短側壁２２との間に形成される角の対角方向へ延びる直線上に、所定幅を有し、その両端が円弧状をなすように凹設されている。そのため、支持平面２３上に支持されたカード３４の外周縁より外側へ案内凹部３８が突出するため、種々の大きさのカード３４を支持平面２３上に支持させても容易に取り外すことができる。
【００２７】
・  実施形態の表示部材ホルダー３１によれば、案内凹部３８は支持平面２３に凹設されている。そのため、カード３４を取り外すための手段を容易に形成することができる。
【００２８】
・  実施形態の表示部材ホルダー３１によれば、案内凹部３８の延びる方向は、下方の長側壁２１ｂと短側壁２２との交点を基点とし、基点を中心として下方の長側壁２１ｂを短側壁２２方向へ回動させたとき、それらの間に形成される角度θが０度より大きく又は４５度以下となるように設定されている。そのため、種々の大きさのカード３４を支持平面２３上に支持させても容易に取り外すことができる。
【００２９】
尚、前記実施形態を次のように変更して具体化することも可能である。
・  表示部材ホルダー３１の支持平面２３上に、表示部材としてのシールを貼着してもよい。このとき、支持平面２３により支持部が構成され、支持平面２３上にシールが支持される。このように構成した場合、シールの貼着面は支持部としての支持平面２３上に貼着されるが、案内凹部３８上には貼着されない。さらに、案内凹部３８は下方の長側壁２１ｂと短側壁２２との間に形成される角の対角方向へ延びる直線上に所定幅を有し、両端が円弧状をなすように凹設されている。そのため、貼着されない面積が大きくなるため、シールの貼着面全体を支持平面２３上に貼着した場合と比較して、シールを支持平面２３上から容易に剥離することができる。
【００３０】
・  表示部材ホルダー３１を運搬用容器としての折り畳みコンテナに取り付けて使用してもよい。このように構成した場合も、折り畳みコンテナに表示部材３４を表示部材ホルダー３１を介して取り付けることができるとともに、案内凹部３８により表示部材３４を表示部材ホルダー３１から容易に取り外すことができる。
【００３１】
・  下方の長側壁２１ｂと短側壁２２との間に形成される角の対角方向へ延びる直線上に、所定幅を有し、その両端部が円弧状をなす案内部３８としての案内孔を形成してもよい。又は案内孔を環状、円弧状、矩形状、楕円形状に形成すること。このように構成した場合も、実施形態と同様の効果を発揮させることができる。
【００３２】
・  下方の長側壁２１ｂと短側壁２２との間に形成される角の対角方向へ延びる直線上に、所定幅を有し、その両端が円弧状をなす案内部３８としての案内スリットを切り欠き形成してもよい。また、案内スリットの形状を環状、円弧状、矩形状、楕円形状に変更してもよい。このように構成した場合、案内スリットに指を容易にかけることができ、表示部材３４を支持平面２３上から容易に取り外すことができる。また、シールの貼着面を支持平面２３上に貼着したとき、案内スリットにはシールの貼着面が貼着されない。従って、支持平面２３上にシールの貼着面全体が貼着した場合と比較して、シールを容易に剥離することができる。
【００３３】
・  案内凹部３８の形状を環状、矩形状、円弧状、楕円形状等に変更してもよい。このように構成した場合も、実施形態と同様の効果を発揮させることができる。
【００３４】
さらに、前記実施形態より把握される請求項に記載した発明以外の技術的思想について、その効果とともに以下に記載する。
・  前記案内部は所定幅を有し、その両端を円弧状に形成した請求項１〜３のいずれかに記載の表示部材ホルダー。このように構成した場合、案内部の端部から案内部内に容易に指を入れることができる。
【００３５】
・  四角形状をなすホルダー本体の支持部が形成された一辺と同辺に直交する他辺との間に形成される角を基点とし、基点を中心として一辺を他辺方向へ回動させたとき、それらの間に形成される角度を想定し、その角度が０度より大きく又は４５度以下となるように、案内部を前記基点から対角方向へ延びるように形成した請求項１〜３のいずれかに記載の表示部材ホルダー。このように構成した場合、種々の大きさの表示部材をホルダー本体上に支持させても、案内部の端部は表示部材の外周縁から突出している。そのため、指を案内部に確実に入れることができ、表示部材を表示部材ホルダーから容易に取り外すことができる。
【００３６】
【発明の効果】
この発明は、以上のように構成されているため、次のような効果を奏する。
請求項１に記載の発明によれば、表示部材ホルダーに支持又は貼着された表示部材を容易に取り外し又は剥離することができる。
【００３７】
請求項２に記載の発明によれば、表示部材ホルダーに支持又は貼着された表示部材を容易に取り外し又は剥離することができるとともに、表示部材ホルダーに支持又は貼着された表示部材の外周縁よりも外側へ案内部が突出するため、種々の大きさの表示部材を容易に取り外すことができる。
【００３８】
請求項３に記載の発明の表示部材ホルダーによれば、請求項１又は請求項２に記載の発明の効果に加え、ホルダー本体に対し案内部を容易に形成することができる。
【図面の簡単な説明】
【図１】表示部材ホルダーを示す斜視図。
【図２】図１の２−２線断面図。
【図３】運搬用容器としてのコンテナを示す斜視図。
【図４】表示部材ホルダーをコンテナに取り付けた状態を示す斜視図。
【図５】表示部材ホルダーにカードを支持させた状態を示す平面図。
【符号の説明】
１１…運搬用容器としてのコンテナ、２０…ホルダー本体、２３…支持部としての支持平面、２４…取付部、２９…取付部としての係合部、３１…表示部材ホルダー、３４…表示部材としてのカード、３５…支持部としての挟持部、３８…案内部としての案内凹部。
【図１】
0003954201.tif 000002
【図２】
0003954201.tif 000003
【図３】
0003954201.tif 000004
【図４】
0003954201.tif 000005
【図５】
0003954201.tif 000006